(57)【要約】【課題】壁パネルの上端縁に並べて置いた天井パネルの連結部に補強板を介在させて、ネジ止め連結する構造において、施工性を向上させる。【解決手段】ユニットルームを構成するために立設された壁パネル３の上端縁に、ネジ挿通孔２ａを形成した連結片２を有した天井パネル１を並べて載置し、それらの間に補強板２を介在させて、天井パネル１のそれぞれの連結片２をネジ止め連結するようにした天井パネル１の取付構造において、補強板２は、両端に脚部２ｂを形成するように下端に切欠部２ｃを形成し、その両端の脚部２ｂを壁パネル３の上端縁に載せ置くことで、切欠部２ｃの側端を天井パネル１の下面よりも上方に保持する構造にしている。【選択図】図１
2006176973.tif 000002
【特許請求の範囲】
【請求項１】
ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、
上記補強板は、両端に脚部を形成するように下端に切欠部を形成し、その両端の脚部を上記壁パネルの上端縁に載せ置くことで、上記切欠部の切欠縁が上記天井パネルの下面よりも上方に保持される構造にしていることを特徴とする、天井パネルの取付構造。
【請求項２】
ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、
上記壁パネルの上端縁には、補強板の下部両端を、天井面パネルの下面よりも上方に持ち上げる支持突部を設けていることを特徴とする、天井パネルの取付構造。
【請求項３】
ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、
上記壁パネルの上端縁には、上記補強板の下部両端を載せ置くことで、該補強板を、上記天井パネルの下面よりも上方に持ち上げる支持部材を固着させる取付部を形成していることを特徴とする、天井パネルの取付構造。
【請求項４】
ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、
上記連結片の一方には、上記補強板の下部両端を載せ置くことで、該補強板を、上記天井面パネルの下面よりも上方に持ち上げる切起し支持片を形成していることを特徴とする、天井パネルの取付構造。
【発明の詳細な説明】
【技術分野】
【０００１】
本発明は、浴室ユニットのようなユニットルームにおける天井パネルの取付構造の改良に関する。
【背景技術】
【０００２】
従来の浴室ユニットの天井は、四方に立設された壁パネル上に複数枚の天井パネルを並べ、天井パネル同士および天井パネルと壁パネルとの間を連結することにより組み立てられる。
【０００３】
図７には、従来の天井パネルの取付構造の分解斜視図（ａ）と、Ｃ矢視図（ｂ）を示している。
【０００４】
天井パネル１０１は、図７（ａ）に示すように、パネル裏面側の端縁が壁パネル１０３の上端に載置され、天井パネル１０１、１０１同士が相互にネジで結合連結される。このため、天井パネル１０１には、他の天井パネル１０１と対向する端部には連結片１０１ａが設けられ、この連結片１０１ａ、１０１ａ間に接続用の補強板１０２が挟着されるが、両天井パネル１０１、１０１と、その間に挟まれる補強板１０２とには、ネジ止着用の孔１０１ｂ、１０１ｂ、１０２ａが設けられており、天井パネル１０１、１０１同士を連結する際には、これらの３つの孔を重合させて位置決めする必要があった。
【０００５】
次の特許文献には、天井パネル同士を結合するために補強板をパネル間に挟着した結合構造が開示されている。
【特許文献１】特許第３５２５９０１号公報
【発明の開示】
【発明が解決しようとする課題】
【０００６】
ところで、２つの天井パネル１０１の連結片１０１ａで挟まれた補強板１０２による隙間には、防水処理を行う必要があるため、コーキングスペースＳを形成する必要がある。そのため、補強板１０２の下端Ｌを、壁パネル１０３の上端に設けた支持台１０４より浮かせた状態に保持する必要があるが、手で補強板１０２を持ち上げて作業しているのが通例であり、施工作業は困難であった。
なお、位置決め調整をしやすくするために、補強板１０２のネジ挿通孔１０２ａを長孔にしているが、上下方向の調整には役立たない。
【０００７】
本発明は、このような問題を解決するために提案されたもので、天井パネル間に補強板を介在させて隣接する天井パネルを結合する場合に、コーキングスペースを確保するとともに、施工性を向上し得る天井パネル取付構造を提供することを目的とする。
【課題を解決するための手段】
【０００８】
上記目的を達成するために、４つの発明を提案する。
【０００９】
第１の本発明である請求項１に記載の天井パネル取付構造は、ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、補強板は、両端に脚部を形成するように下端に切欠部を形成し、その両端の脚部を壁パネルの上端縁に載せ置くことで、切欠部の切欠縁が天井パネルの下面よりも上方に保持される構造にしている。
すなわち、補強板の脚部を壁パネルに載せ置けば、天井パネルと補強板のネジ挿通孔は重合し、自動的に位置決めがなされる。
【００１０】
第２の本発明である請求項２に記載の天井パネル取付構造は、ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、壁パネルの上端縁には、補強板の下部両端を、天井面パネルの下面よりも上方に持ち上げる支持突部を設けている。
すなわち、補強板を壁パネルの支持突部に載せ置けば、天井パネルと補強板のネジ挿通孔は重合し、自動的に位置決めがなされる。
【００１１】
第３の本発明である請求項３に記載の天井パネル取付構造は、ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、壁パネルの上端縁には、補強板の下部両端を載せ置くことで、該補強板を、天井パネルの下面よりも上方に持ち上げる支持部材を固着させる取付部を形成している。
【００１２】
第４の本発明である請求項３に記載の天井パネル取付構造は、ユニットルームを構成するために立設された壁パネルの上端縁に、ネジ挿通孔を形成した連結片を有した天井パネルを並べて載置し、それらの間に補強板を介在させて、天井パネルのそれぞれの連結片をネジ止め連結するようにした天井パネルの取付構造において、連結片の一方には、補強板の下部両端を載せ置くことで、該補強板を、天井面パネルの下面よりも上方に持ち上げる切起し支持片を形成している。
【発明の効果】
【００１３】
請求項１に記載の天井パネルの取付構造によれば、補強板の両端に、壁パネルの上端に載せ置く脚部を設けているため、その脚部を壁パネルの上端に置くだけで、補強板を手で持ち上げることなく、ネジ挿通孔を重合させて容易に位置決めすることができる。
また、補強板の下端には切欠部が形成され、両天井パネルを結合連結した際には、この切欠部の切欠縁は連結片の下端よりも上方に保持されるので、防水用コーキングスペースが十分に確保される。
【００１４】
請求項２によれば、壁パネル側に、補強板の下部両端を天井面パネルの下面よりも上方に持ち上げる支持突部を形成しているため、補強板を手で持ち上げることなく、ネジ挿通孔を重合させて容易に位置決めすることができる。
また、支持突部に補強板を載せ置く構造であるため、両天井パネルを連結した際には、補強板の下端は天井パネルの連結片の下端よりも上方に保持され、そのため、防水用コーキングスペースが確保される。
【００１５】
請求項３、４についても、補強板を持ち上げる構造にしているため、上記請求項と同様の効果を奏する。
特に、請求項３では、簡易な形状の支持部材を準備するだけでよいので、従来部材を変更することがなく、簡単に実施することができる。また、請求項４では、他部材を必要とせず、かつ連結片に支持片用に切り込みを入れるだけでよいので、きわめて簡単に実施することができる。
【００１６】
以上のような取付構造は、天井パネル同士を結合したときに両連結片と補強板とによって天井面側に形成される空隙に目地剤が充填される構造であるため、その隙間部分にのみ目地剤を充填して効率よく防水シールすることができる。すなわち、コーキングスペースが確保される構造となっているため、目地剤を天井面より下方側に膨らませるようにコーキングする必要がなく、施工後の下方側に膨らんだ目地剤を削ぎとってしまっても防水効果を損なうことはない。その結果、防水効果にすぐれ、かつ平滑で美観を有した天井面を形成することができる。
また、補強板は目地剤のバックアップ材となるため、目地剤を無駄に使用する必要がない。
【発明を実施するための最良の形態】
【００１７】
以下に、本発明の実施の形態について、添付図面とともに説明する。以下には４つの実施例を示しており、実施例１、２、３、４は、それぞれ第１、第２、第３、第４の本発明に対応している。
【００１８】
また、以下に示した全ての実施例は、ともにフラット天井に適用させたものを示しているが、これに限定されず、アーチ天井にも適用可能である。
【実施例１】
【００１９】
図１は第１の本発明の取付構造の説明図であり、（ａ）は本発明の天井パネル取付構造を示す分解斜視図、（ｂ）はＡ矢視図である。
【００２０】
第１の本発明の天井パネルの取付構造は、図１（ａ）に示すように、ユニットルームを構成する四方に壁パネル３を立設してから、複数枚の天井パネル１を壁パネル３の上端縁に載置して並べ、隣接する天井パネル１、１の連結片１ａ、１ａ間に補強板２を介在させ、両接合片１ａ、１ａと補強板２のそれぞれに設けた孔１ｂ、１ｂ、２ａにネジ４とナット５を用いて、天井パネル１、１同士を連結するものである。本実施例では、補強板２の水平方向の位置調整を容易にするため、補強板２のネジ挿通孔２ａを長孔に形成している。
なお、６は天井パネル１の外側（上方）に貼着された断熱材を示し、この断熱材６は、天井パネル１が結合連結されたのちに天井パネル１の上面に置かれる。
また、Ｒで示したスペースは、廻し縁（不図示）を取り付けるための空間である。
【００２１】
本例では、壁パネル３の上端縁に、金属フレームで構成された上縁部３ｂに立設された立上り片３ｃを形成し、さらにその立上り片３ｃを折曲させた支持部３ｄを形成しており、この支持部３ｄに天井パネル１を載せ置くようにしているが、このような構造には限定されず、天井パネル１を上縁部３ｂに直接、載せ置くような構造であってもよい。
【００２２】
なお、天井パネル１と壁パネル３とは、側片１ｃと立上り片３ｃとをネジ止めにて連結する。
【００２３】
本発明では、補強板を、両端に脚部を形成するように中央を切り欠いた構造にしている。この補強板の構造について、図２の正面図を参照しながら説明する。
【００２４】
補強板２は、中央を切り欠いて両端に脚部２ｂ、２ｂを形成している。この脚部２ｂは、図１の例では、壁パネル３の支持部３ｄに載せ置かれ、その状態では、それぞれのネジ挿通孔１ｂ、１ｂ、２ａの位置が重合するように形成されている。
【００２５】
このため、補強板２を手で持ち上げながら位置合わせをする必要がなく、容易に位置決めをすることができる。
【００２６】
また、位置決めされたときには、切欠部２ｃの切欠縁は側片１ｃの下端よりも上方に位置する。そのため、補強板２が２つの連結片１ａ、１ａに挟着された状態では、補強板２の下方には空隙Ｓが形成され、この空隙Ｓは、防水用の目地剤を注入するためのスペースとして確保される。
なお、図３は、図１（ｂ）のＸ−Ｘ線における天井パネル接合後の断面図を示している。
また、天井パネル同士を連結したときには、補強板２が目地剤のバックアップ材となる。
【００２７】
したがって、目地剤を充填する隙間Ｓが確保されているため、その隙間部分にのみ目地剤を充填して効率よく防水シールすることができ、そのため、目地剤を天井面より下方側に膨らませるようにコーキングする必要がなく、下方側に膨らんだ目地剤を削ぎとってしまっても防水効果を損なうこともないので、防水効果にすぐれ、かつ平滑で美観を有した天井面を形成することができる。
【実施例２】
【００２８】
図４は第２の本発明の説明図であり、（ａ）は本発明の天井パネル取付構造を示す分解斜視図、（ｂ）はＢ矢視図である。なお、第１の本発明と同一の機能を有した構成部分については実施例１と同一の符号を付している。
【００２９】
第２の本発明の天井パネルの取付構造は、図４（ａ）に示すように、ユニットルームを構成する四方に壁パネル３を立設してから、複数枚の天井パネル１を壁パネル３の上端縁に載置して並べ、隣接する天井パネル１、１の連結片１ａ、１ａ間に補強板２を介在させ、両接合片１ａ、１ａと補強板２のそれぞれに設けた孔１ｂ、１ｂ、２ａにネジ４とナット５を用いて、天井パネル１、１同士を連結したものである。本実施例では、補強板２の水平方向の位置調整を容易にするため、補強板２のネジ挿通孔２ａを長孔に形成している。
なお、６は天井パネル１の外側（上方）に貼着された断熱材を示し、天井パネル１が結合連結されたのちに天井パネル１の上面に置かれる。
【００３０】
本例においても、壁パネル３の上端縁に、金属フレームで構成された上縁部３ｂに立設された立上り片３ｃを形成し、さらにその立上り片３ｃを折曲させた支持部３ｄを形成しており、この支持部３ｄに天井パネル１を載せ置くようにしている。
【００３１】
本発明では、補強板２を、下端に脚部を形成せず平坦に形成している一方、壁パネル３側に、補強板２を載せ置き上方に持ち上げる支持突部３ｅを形成している。すなわち、天井パネル１を支持部３ｄに載せ、補強板２を支持突部３ｅに載せ置いた状態では、それぞれのネジ挿通孔１ｂ、１ｂ、２ａの位置が重合するように形成されている。
【００３２】
このため、補強板２を手で持ち上げながら位置合わせをする必要がなく、容易に位置決めすることができる。
【００３３】
また、位置決めされたときには、補強板２の下端は側片１ｃの下端よりも上方に位置する。そのため、補強板２が２つの連結片１ａ、１ａに挟着された状態では、補強板２の下方には空隙Ｓが形成され、この空隙Ｓは、防水用の目地剤を注入するためのスペースとして確保される。
なお、Ｘ−Ｘ線における断面は、実施例１に示した図３と同様であるので省略する。
また、天井パネル同士を連結したときには、補強板２が目地剤のバックアップ材となる。
【００３４】
したがって、目地剤を充填する隙間Ｓが確保されるため、隙間部分にのみ目地剤を充填して効率よく防水シールすることができ、目地剤を天井面より下方側に膨らませるようにコーキングする必要がなく、下方側に膨らんだ目地剤を削ぎとってしまっても防水効果を損なうこともないので、防水効果にすぐれ、かつ平滑で美観を有した天井面を形成することができる。
【実施例３】
【００３５】
図５は、第３の本発明の取付構造の例を示す部分構造説明図である。
【００３６】
本発明では、壁パネル３の上端縁に、補強板２を天井パネルの下面よりも上方に持ち上げる支持部材を固着する取付部を形成している。
【００３７】
図示するように、壁パネル３の上端に設けた支持部３ｄに取付孔３ｆを設け、押圧時に薄く変形する支持部材７の取付脚７ａを取付孔３ｆに挿着して、その支持部材７に補強板２の両端を載せ置く。支持部材７は、２枚の天井パネルの連結片１ａ、１ａで挟まれると押しつぶされ変形するので、補強板２の厚み以上に隙間を生じることはない。
【００３８】
上記実施例と同様に補強板２を持ち上げる構造にしているため、上記実施例と同様の効果を奏する。また、簡易な形状の支持部材を準備するだけでよいので、従来部材を変更することがなく、簡単に実施することができる。
【００３９】
なお、本発明の取付構造の他の構成部分については、上記の実施例と同様であるため、全体構造図および説明を省略する。
【実施例４】
【００４０】
図６は、第４の本発明の取付構造の例を示す部分構造説明図である。
【００４１】
本発明では、連結すべき両天井パネルのうちいずれか一方の天井パネル１の連結片１ａには、補強板２の下部両端を載せ置くことで、補強板を天井パネルの下面よりも上方に持ち上げる切起し支持片１ｄ、１ｄを形成している。
【００４２】
図示するように、連結片１ａの両端に、連結片１ａを切り欠いて形成した切起し支持片１ｄを設け、そこに補強板２の両端を載せ置くようにする。工場出荷時は切り込みを入れておき、取付現場で切り込みを外側に押し出して切欠支持片１ｄを形成するようにしてもよい。
【００４３】
また、両端で補強板２を支持するために、対向する連結片１ａ、１ａのそれぞれに片方のみの切起し支持片１ｄを設けてもよいし、いずれか一方の連結片１ａに一対の切起し支持片１ｄを設けてもよい。
【００４４】
このように、上記実施例と同様に補強板２を持ち上げる構造にしているため、上記実施例と同様の効果を奏する。また、他部材を必要とせず、かつ連結片に支持片用に切り込みを入れるだけでよい。
【００４５】
なお、本発明の取付構造の他の構成部分については、上記の実施例と同様であるため、全体構造図および説明を省略する。
【図面の簡単な説明】
【００４６】
【図１】（ａ）は第１の本発明の天井パネル取付構造を示す斜視図、（ｂ）はＡ矢視図である。
【図２】補強板の全体を示した正面図である。
【図３】図１（ｂ）のＸ−Ｘ線における断面図である。
【図４】（ａ）は第２の本発明の天井パネル取付構造を示す斜視図、（ｂ）はＢ矢視図である。
【図５】第３の本発明の天井パネル取付構造例を示す部分構造説明図である。
【図６】第４の本発明の天井パネル取付構造例を示す部分構造説明図である。
【図７】（ａ）は従来の天井パネル取付構造を示す斜視図、（ｂ）はＣ矢視図である。
【符号の説明】
【００４７】
１      天井パネル
１ａ      連結片
１ｂ      ネジ挿通孔
１ｄ      切起し支持片
２      補強板
２ａ      ネジ挿通孔
２ｂ      脚部
２ｃ      切欠部
３      壁パネル
３ｂ      上縁部
３ｃ      立上り片
３ｆ      取付孔
４      ボルト
５      ナット
７      支持部材
７ａ      取付脚
Ｓ      空隙
【図１】
2006176973.tif 000003
【図２】
2006176973.tif 000004
【図３】
2006176973.tif 000005
【図４】
2006176973.tif 000006
【図５】
2006176973.tif 000007
【図６】
2006176973.tif 000008
【図７】
2006176973.tif 000009